(57)【特許請求の範囲】
【請求項１】
図的対話画面構成データを有し、図的対話画面の表示を指示する電気機器と、電気機器からの指示信号を受けて図的対話画面を表示する図的対話画面表示装置とを有する図的対話画面指示表示装置であって、
図的対話画面表示装置は、
図的対話画面を生成するのに必要な図的表示要素を記憶している図的表示要素記憶手段と、
図的対話画面を生成するのに必要な図的対話画面構成データを電気機器から受信する図的対話画面構成データ受信手段と、
前記図的対話画面構成データ受信手段が受信した図的対話画面構成データを記憶する表示側図的対話画面構成データ記憶手段と、
前記電気機器の操作指示信号を受信する操作指示信号受信手段と、
前記操作指示信号受信手段が受信した操作指示信号を受けて、前記表示側図的対話画面構成データ記憶手段に記憶されている図的対話画面構成データを読み出して、その指示に基づいて前記図的表示要素記憶手段に記憶されている図的表示要素を組み合わせて図的対話画面を生成し、また、前記操作指示信号受信手段が受信した新たな操作指示信号を受けて図的対話画面を変更生成する図的対話画面生成手段と、
図的対話画面生成手段が生成した図的対話画面を表示する表示手段とを備えることを特徴とする図的対話画面指示表示装置。
【請求項２】
図的対話画面の表示を指示する電気機器と、電気機器からの指示信号を受けて図的対話画面を表示する図的対話画面表示装置とを有する図的対話画面指示表示装置であって、
図的対話画面の表示を指示する電気機器は、
電気機器の動作指示を受け付ける操作手段と、
電気機器の動作指示に伴う図的対話画面を表示するのに必要な図的対話画面構成データを予め記憶している指示側図的対話画面構成データ記憶手段と、
前記操作手段からの動作指示を受けて、電気機器の機能設定動作を制御し、図的対話画面構成データの送信指示を与え、対話画面の生成と変更生成との操作指示信号を発生する制御手段と、
前記制御手段からの送信指示を受けて、前記指示側図的対話画面構成データ記憶部に記憶されている図的対話画面構成データを読み出して、図的対話画面表示装置に送信する図的対話画面構成データ送信手段と、
前記制御手段が発生した操作指示信号を図的対話画面表示装置に送信する操作指示信号送信手段とを備えることを特徴とする図的対話画面指示表示装置。
【請求項３】
図的対話画面の表示を指示する電気機器と、電気機器からの指示信号を受けて図的対話画面を表示する図的対話画面表示装置とを有する図的対話画面指示表示装置であって、
図的対話画面表示装置は、
図的対話画面を生成するのに必要な図的表示要素を記憶している図的表示要素記憶手段と、
図的対話画面を生成するのに必要な図的対話画面構成データを電気機器から受信する図的対話画面構成データ受信手段と、
前記図的対話画面構成データ受信手段が受信した図的対話画面構成データを記憶する表示側図的対話画面構成データ記憶手段と、
前記電気機器の操作指示信号を受信する操作指示信号受信手段と、
前記操作指示信号受信手段が受信した操作指示信号を受けて、前記表示側図的対話画面構成データ記憶手段に記憶されている図的対話画面構成データを読み出して、図的対話画面構成データの指示に基づいて前記図的表示要素記憶手段に記憶されている図的表示要素を組み合わせて図的対話画面を生成し、また、前記操作指示信号受信手段が受信した新たな操作指示信号を受けて図的対話画面を変更生成する図的対話画面生成手段と、
図的対話画面生成手段が生成した図的対話画面を表示する表示手段とを備え、
図的対話画面の表示を指示する電気機器は、
電気機器の動作指示を受け付ける操作手段と、
電気機器の動作指示に伴う図的対話画面を表示するのに必要な図的対話画面構成データを予め記憶している指示側図的対話画面構成データ記憶部と、
前記操作手段からの動作指示を受けて、電気機器の機能設定動作を制御し、図的対話画面構成データの送信指示を与え、対話画面の生成と変更生成との操作指示信号を発生する制御手段と、
前記制御手段からの送信指示を受けて、前記指示側図的対話画面構成データ記憶部に記憶されている図的対話画面構成データを読み出して、図的対話画面表示装置に送信する図的対話画面構成データ送信手段と、
前記制御手段が発生した操作指示信号を図的対話画面表示装置に送信する操作指示信号送信手段とを備え、
前記図的対話画面構成データ受信手段と前記図的対話画面構成データ送信手段とを接続する第１伝送手段と、
前記操作指示信号受信手段と前記操作指示信号送信手段とを接続する第２伝送手段とを備えることを特徴とする図的対話画面指示表示装置。
【請求項４】
前記制御手段は、
前記操作手段からの動作指示に従い操作指示信号を発生する第１信号発生部と、
前記電気機器の動作情況に応じて所定の補助データ信号を発生する第２信号発生部とを有することを特徴とする請求項２又３記載の図的対話画面指示表示装置。
【請求項５】
図的対話画面の表示を指示する電気機器は、
更に、遠隔制御操作手段からの操作指示信号を受信する遠隔制御操作指示信号受信手段を含み、
前記操作手段に代えて、電気機器本体から分離して設けられた遠隔制御操作手段を備えることを特徴とする請求項２又は３又は４記載の図的対話画面指示表示装置。
【請求項６】
請求項１記載の図的対話画面指示表示装置の図的対話画面表示装置は、
更に、テレビ受像手段と、
テレビ操作手段と、
テレビ受像機能に関する図的対話画面構成データを予め記憶しているテレビ用図的対話画面構成データ記憶手段とを含み、
前記図的対話画面生成手段は、
前記テレビ操作手段から操作指示信号を受けたときには、前記テレビ用図的対話画面構成データ記憶手段に記憶されている図的対話画面構成データを読み出して、該データに基づいて前記図的表示要素記憶手段に記憶されている図的表示要素を組み合わせて図的対話画面を生成し、また、新たな操作指示信号を受けたときには図的対話画面を変更生成するテレビ対話画面生成部を備えることを特徴とする図的対話画面指示表示装置。
【請求項７】
図的対話画面表示装置の遠隔制御操作装置である図的対話画面の表示を指示する電気機器と、電気機器からの指示信号を受けて図的対話画面を表示する図的対話画面表示装置とを有する図的対話画面指示表示装置であって、
図的対話画面の表示を指示する電気機器は、
電気機器の動作指示を受け付ける操作手段と、
電気機器の動作指示に伴う図的対話画面を表示するのに必要な図的対話画面構成データを予め記憶している指示側図的対話画面構成データ記憶手段と、
前記操作手段からの動作指示を受けて、電気機器の機能設定動作を制御し、図的対話画面構成データの送信指示を与え、対話画面の生成と変更生成との操作指示信号を発生する制御手段と、
前記制御手段からの送信指示を受けて、前記指示側図的対話画面構成データ記憶部に記憶されている図的対話画面構成データを読み出して、図的対話画面表示装置に送信する図的対話画面構成データ送信手段と、
前記制御手段が発生した操作指示信号を図的対話画面表示装置に送信する操作指示信号送信手段とを備え、
図的対話画面表示装置は、
図的対話画面を生成するのに必要な図的表示要素を記憶している図的表示要素記憶手段と、
図的対話画面を生成するのに必要な図的対話画面構成データを電気機器から受信する図的対話画面構成データ受信手段と、
前記図的対話画面構成データ受信手段が受信した図的対話画面構成データを記憶する表示側図的対話画面構成データ記憶手段と、
前記電気機器の操作指示信号を受信する操作指示信号受信手段と、
前記操作指示信号受信手段が受信した操作指示信号を受けて、前記表示側図的対話画面構成データ記憶手段に記憶されている図的対話画面構成データを読み出して、その指示に基づいて前記図的表示要素記憶手段に記憶されている図的表示要素を組み合わせて図的対話画面を生成し、また、前記操作指示信号受信手段が受信した新たな操作指示信号を受けて図的対話画面を変更生成する図的対話画面生成手段と、
図的対話画面生成手段が生成した図的対話画面を表示する表示手段と、
テレビ受像手段と、
テレビ操作手段と、
前記テレビ受像機能に関する図的対話画面構成データを予め記憶しているテレビ用図的対話画面構成データ記憶手段と、
前記テレビ操作手段から操作指示信号を受けたときには、前記テレビ用図的対話画面構成データ記憶手段に記憶されている図的対話画面構成データを読み出して、該データに基づいて前記図的表示要素記憶手段に記憶されている図的表示要素を組み合わせて図的対話画面を生成し、また、新たな操作指示信号を受けたときには図的対話画面を変更生成するテレビ対話画面生成手段とを備えることを特徴とする図的対話画面指示表示装置。
【請求項８】
図的対話画面表示装置の遠隔制御操作装置である図的対話画面の表示を指示する電気機器と、電気機器からの指示信号を受けて図的対話画面を表示する図的対話画面表示装置とを有する図的対話画面指示表示装置であって、
図的対話画面の表示を指示する電気機器は、
電気機器の動作指示を受け付ける操作手段と、
前記操作手段からの動作指示を受けて、電気機器の機能設定動作を制御し、対話画面の生成と変更生成との操作指示信号を発生する制御手段と、
前記制御手段が発生した操作指示信号を図的対話画面表示装置に送信する操作指示信号送信手段とを備え、
図的対話画面表示装置は、
図的対話画面を生成するのに必要な図的表示要素を記憶している図的表示要素記憶手段と、
電気機器の図的対話画面を生成するのに必要な図的対話画面構成データを予め記憶している機器側図的対話画面構成データ記憶手段と、
前記電気機器の操作指示信号を受信する操作指示信号受信手段と、
前記操作指示信号受信手段が受信した操作指示信号を受けて、前記機器側図的対話画面構成データ記憶手段に記憶されている図的対話画面構成データを読み出して、その指示に基づいて前記図的表示要素記憶手段に記憶されている図的表示要素を組み合わせて図的対話画面を生成し、また、前記操作指示信号受信手段が受信した新たな操作指示信号を受けて図的対話画面を変更生成する図的対話画面生成手段と、
図的対話画面生成手段が生成した図的対話画面を表示する表示手段と、
テレビ受像手段と、
テレビ操作手段と、
前記テレビ受像機能に関する図的対話画面構成データを予め記憶しているテレビ用図的対話画面構成データ記憶手段と、
前記テレビ操作手段から操作指示信号を受けたときには、前記テレビ用図的対話画面構成データ記憶手段に記憶されている図的対話画面構成データを読み出して、該データに基づいて前記図的表示要素記憶手段に記憶されている図的表示要素を組み合わせて図的対話画面を生成し、また、新たな操作指示信号を受けたときには図的対話画面を変更生成するテレビ対話画面生成手段とを備えることを特徴とする図的対話画面指示表示装置。
【請求項９】
電気機器の機能設定をするための遠隔制御操作装置と、遠隔制御操作装置からの動作指示の信号を中継する電気機器と、電気機器の中継した信号を受けて図的対話画面を表示する図的対話画面表示装置とを有する図的対話画面指示表示装置であって、
図的対話画面の表示を指示する遠隔制御操作装置は、
遠隔制御操作装置の動作指示を受け付ける第１操作手段と、
遠隔制御操作装置の動作指示に伴う図的対話画面を表示するのに必要な図的対話画面構成データを予め記憶している第１図的対話画面構成データ記憶手段と、前記第１操作手段からの動作指示を受けて、遠隔制御操作装置の機能設定動作を制御し、図的対画面構成データの送信指示を与え、対話画面の生成と変更生成との操作指示信号を発生する第１制御手段と、
前記第１制御手段からの送信指示を受けて、前記第１図的対話画面構成データ記憶部に記憶されている図的対話画面構成データを読み出して電気機器に送信する第１図的対話画面構成データ送信手段と、
前記第１制御手段が発生した操作指示信号を電気機器に送信する第１操作指示信号送信手段とを備え、
図的対話画面の表示を指示する中継機としての電気機器は、
電気機器の動作指示を受け付ける第２操作手段と、
電気機器の動作指示に伴う図的対話画面を表示するのに必要な図的対話画面構成データを予め記憶している指示側図的対話画面構成データ記憶手段と、
前記操作手段からの動作指示を受けて、電気機器の機能設定動作を制御し、図的対話画面構成データの送信指示を与え、対話画面の生成と変更生成との操作指示信号を発生する第２制御手段と、
前記第２制御手段からの送信指示を受けて、前記指示側図的対話画面構成データ記憶部に記憶されている図的対話画面構成データを読み出して、図的対話画面表示装置に送信する図的対話画面構成データ送信手段と、
前記第２制御手段が発生した操作指示信号を図的対話画面表示装置に送信する第２操作指示信号送信手段と、
前記遠隔制御操作手段が送信した図的対話画面構成データを中継して図的対話面表示装置に送信するデータ中継手段と、
前記遠隔制御操作手段が送信した操作指示信号を中継して図的対話画面表示装置に送信する信号中継手段とを備え、
図的対話画面表示装置は、
図的対話画面を生成するのに必要な図的表示要素を記憶している図的表示要素記憶手段と、
図的対話画面を生成するのに必要な図的対話画面構成データを電気機器から受信する図的対話画面構成データ受信手段と、
前記図的対話画面構成データ受信手段が受信した図的対話画面構成データを記憶する表示側図的対話画面構成データ記憶手段と、
前記電気機器の操作指示信号を受信する操作指示信号受信手段と、
前記操作指示信号受信手段が受信した操作指示信号を受けて、前記表示側図的対話画面構成データ記憶手段に記憶されている図的対話画面構成データを読み出して、その指示に基づいて前記図的表示要素記憶手段に記憶されている図的表示要素を組み合わせて図的対話画面を生成し、また、前記操作指示信号受信手段が受信した新たな操作指示信号を受けて図的対話画面を変更生成する図的対話画面生成手段と、
図的対話画面生成手段が生成した図的対話画面を表示する表示手段とを備えることを特徴とする図的対話画面指示表示装置。
【請求項１０】
電気機器の機能設定をするための遠隔制御操作装置と、遠隔制御操作装置からの動作指示の信号を中継する電気機器と、電気機器の中継した信号を受けて図的対話画面を表示する図的対話画面表示装置とを有する図的対話画面指示表示装置であって、
図的対話画面の表示を指示する遠隔制御操作装置は、
遠隔制御操作装置の動作指示を受け付ける第１操作手段と、
前記第１操作手段からの動作指示を受けて、遠隔制御操作装置の機能設定動作を制御し、電気機器に図的対画面構成データの送信指示を与え、対話画面の生成と変更生成との操作指示信号を発生する第１制御手段と、
前記第１制御手段が発生した操作指示信号を電気機器に送信する第１操作指示信号送信手段とを備え、
図的対話画面の表示を指示する中継機としての電気機器は、
電気機器の動作指示を受け付ける第２操作手段と、
電気機器の動作指示に伴う図的対話画面を表示するのに必要な図的対話画面構成データを予め記憶している指示側図的対話画面構成データ記憶手段と、
前記遠隔制御操作装置からの図的対話画面構成データの送信指示に伴う図的対話画面を表示するのに必要な図的対話画面構成データを予め記憶している第１図的対話画面構成データ記憶手段と、
前記第２操作手段からの動作指示を受けて、電気機器の機能設定動作を制御し、図的対話画面構成データの送信指示を与え、対話画面の生成と変更生成との操作指示信号を発生する第２制御手段と、
前記第２制御手段からの送信指示又は前記遠隔制御操作装置からの送信指示を受けて、前記指示側図的対話画面構成データ記憶部又は第１図的対話画面構成データ記憶手段に記憶されている図的対話画面構成データを読み出して、図的対話画面表示装置に送信する図的対話画面構成データ送信手段と、
前記第２制御手段が発生した操作指示信号を図的対話画面表示装置に送信する第２操作指示信号送信手段と、
前記遠隔制御操作手段が送信した操作指示信号を中継して図的対話画面表示装置に送信する信号中継手段とを備え、
図的対話画面表示装置は、
図的対話画面を生成するのに必要な図的表示要素を記憶している図的表示要素記憶手段と、
図的対話画面を生成するのに必要な図的対話画面構成データを電気機器から受信する図的対話画面構成データ受信手段と、
前記図的対話画面構成データ受信手段が受信した図的対話画面構成データを記憶する表示側図的対話画面構成データ記憶手段と、
前記電気機器の操作指示信号を受信する操作指示信号受信手段と、
前記操作指示信号受信手段が受信した操作指示信号を受けて、前記表示側図的対話画面構成データ記憶手段に記憶されている図的対話画面構成データを読み出して、その指示に基づいて前記図的表示要素記憶手段に記憶されている図的表示要素を組み合わせて図的対話画面を生成し、また、前記操作指示信号受信手段が受信した新たな操作指示信号を受けて図的対話画面を変更生成する図的対話画面生成手段と、
図的対話画面生成手段が生成した図的対話画面を表示する表示手段とを備えることを特徴とする図的対話画面指示表示装置。
【請求項１１】
前記図的対話画面構成データは、
図的対話画面を構成するオブジェクトを定義するオブジェクト情報と、
各オブジェクトの形状を定義する形状情報と、
オブジェクトの配置を定義する配置情報と、
操作指示データに基づいて図的対話画面を変更するオブジェクトの動作を定義する動作情報とを含むことを特徴とする請求項１又は２又は３又は４又は５又は６又は７又は８又は９又は１０記載の図的対話画面指示表示装置。
【発明の詳細な説明】
【０００１】
【産業上の利用分野】
本発明は、テレビ受像機等の画面を利用して他の電気機器の機能設定を行うことができるユーザインタフェースの図的対話画面を表示する図的対話画面指示表示装置に関する。
【０００２】
【従来の技術】
据置型ビデオや家庭用ゲーム機では、テレビ受像機の画面を利用して機能設定を行っている。これら据置型ビデオ等の電気機器では、その内部に機能設定を行うためのユーザインタフェース画面を生成する電気回路と、その電気回路によって生成された映像信号を外部へ出力する端子を備えている。そしてこの外部出力端子とテレビ受像機の外部映像信号入力端子とを映像信号ケーブルで接続し、テレビ受像機の信号入力切り替えを外部映像信号入力端子に切り替えていた。これによりテレビ受像機は外部映像信号入力端子から入力された映像信号をそのまま画面に表示し、これらの機器のユーザインタフェース画面を利用者に提示していた。
【０００３】
また、ＣＡＤで使用されるグラフィックディスプレイ（以下「ＧＤ」という）がユーザインタフェース画面の利用としてある。ホスト計算機は線分、円弧、文字などの基本要素の組合せと表示位置、表示の可否などの属性指定による図形定義命令をＧＤに対して送出し、ＧＤはその定義命令を解釈して画面上に図形を表示する。同じ基本要素の組合せからなる図形の定義は、既に定義されている図形定義を複写してその表示位置属性を変更することで達成できるので、同じ定義命令をホスト側から再送しなくてもよい。これは、ホスト計算機からの定義命令伝達時間の短縮効果がある。これを、メニュー操作画面のように多層構造になっていてユーザからの指示によって表示する層を切り替えるものに適用する場合には、層が切り替わるごとに画面をクリア（つまり定義されている図形データをすべて消去）し、表示したい層の図形定義命令を送出する、又は、すべての層の図形データを予め定義しておき、層が切り替わるごとに現在表示中の層にあるすべての図形データの属性を表示不可にする命令を送出し、表示したい層にあるすべての図形データの属性を表示可にする命令を送出する、等の実現方法が考えられる。
【０００４】
【発明が解決しようとする課題】
ところで、上記据置型ビデオ等の電気機器のような構成では、以下のような課題を有している。
まず、第１に、機能設定を行う個々の電気機器ごとにその内部にユーザインタフェース画面を生成する電気回路を具備しなければならない。これは、電気機器のコストアップにつながる。このため、現状では一部の機器にしかこの機能が付加されていないのが実情である。
【０００５】
第２に、テレビ受像機の映像入力を外部映像信号入力に切り替えねばならない。据置型ビデオや家庭用ゲーム機のようにテレビ受像機の映像入力を外部映像信号入力に切り替えなければその電気機器を利用できないものでは欠点とならない。しかし、例えば、エアーコンディショナーのような電気機器の機能設定の目的のためだけに切り替えを必要とするのは極めて不便である。この不便を解消するには、機器にユーザインタフェースの表示画面を備えればよいが、ユーザインタフェース画面を生成する電気回路を具備する以上にコストアップにつながる。
【０００６】
第３に、機器とテレビ受像機とを映像信号ケーブルで接続しなければならない。据置型ビデオや家庭用ゲーム機等の電気機器では、映像信号ケーブルで接続しなければ利用できないものであるので欠点とも言えないが、通常の利用形態では映像信号ケーブルで接続することが必要でない電気機器、例えば遠隔制御装置などでは極めて不便である。この不便を解消するには、電気機器にユーザインタフェースの表示画面を備えればよいが、第２の課題でも述べたようにコストアップにつながる。
【０００７】
更に、表示装置としてＧＤを利用する場合には、ＧＤは多様な表示に対応できるようにするため基本要素のレベルでホスト計算機と接続しているので、画面表示の変更にはホスト計算機から多くの図形定義命令を受信することになる。これは、ホスト計算機側の負荷を増大させるとともに通信経路の伝送レートが高くないとリアルタイム性がなくなる。即ち、家電製品に一般に使用されているマイコンはホスト計算機ほど処理能力が高くなく、また、伝送レートもコスト面からそれほど上げることもできないので、ＧＤに対して表示データを送出して対話画面を実現することは困難である。
【０００８】
本発明は、上記課題に鑑み、個々の電気機器にユーザインタフェース画面を生成する電気回路を備えることを必要とせず、かつ、安価なユーザインタフェース画面を用いて機能設定をすることができる図的対話画面指示表示装置を提供することを目的とする。
【０００９】
【課題を解決するための手段】
上記課題を解決するため、請求項１に係る発明においては、図的対話画面構成データを有し、図的対話画面の表示を指示する据置型ビデオのような電気機器と、電気機器からの指示信号を受けて図的対話画面を表示する図的対話画面表示装置とを有する図的対話画面指示表示装置であって、図的対話画面表示装置は、図的対話画面を生成するのに必要な図的表示要素を記憶している図的表示要素記憶手段と、図的対話画面を生成するのに必要な図的対話画面構成データを電気機器から受信する図的対話画面構成データ受信手段と、前記図的対話画面構成データ受信手段が受信した図的対話画面構成データを記憶する表示側図的対話画面構成データ記憶手段と、前記電気機器の操作指示信号を受信する操作指示信号受信手段と、前記操作指示信号受信手段が受信した操作指示信号を受けて、前記表示側図的対話画面構成データ記憶手段に記憶されている図的対話画面構成データを読み出して、その指示に基づいて前記図的表示要素記憶手段に記憶されている図的表示要素を組み合わせて図的対話画面を生成し、また、前記操作指示信号受信手段が受信した新たな操作指示信号を受けて図的対話画面を変更生成する図的対話画面生成手段と、図的対話画面生成手段が生成した図的対話画面を表示する表示手段とを備えることを特徴とする図的対話画面指示表示装置としている。
【００１０】
請求項２に係る発明においては、図的対話画面の表示を指示する電気機器と、電気機器からの指示信号を受けて図的対話画面を表示する図的対話画面表示装置とを有する図的対話画面指示表示装置であって、図的対話画面の表示を指示する電気機器は、電気機器の動作指示を受け付ける操作手段と、電気機器の動作指示に伴う図的対話画面を表示するのに必要な図的対話画面構成データを予め記憶している指示側図的対話画面構成データ記憶手段と、前記操作手段からの動作指示を受けて、電気機器の本来の機能設定動作を制御し、図的対話画面構成データの送信指示を与え、対話画面の生成と変更生成との操作指示信号を発生する制御手段と、前記制御手段からの送信指示を受けて、前記指示側図的対話画面構成データ記憶部に記憶されている図的対話画面構成データを読み出して、図的対話画面表示装置に送信する図的対話画面構成データ送信手段と、前記制御手段が発生した操作指示信号を図的対話画面表示装置に送信する操作指示信号送信手段とを備えることを特徴とする図的対話画面指示表示装置としている。
【００１１】
請求項３に係る発明においては、図的対話画面の表示を指示する電気機器と、電気機器からの指示信号を受けて図的対話画面を表示する図的対話画面表示装置とを有する図的対話画面指示表示装置であって、図的対話画面表示装置は、図的対話画面を生成するのに必要な図的表示要素を記憶している図的表示要素記憶手段と、図的対話画面を生成するのに必要な図的対話画面構成データを電気機器から受信する図的対話画面構成データ受信手段と、前記図的対話画面構成データ受信手段が受信した図的対話画面構成データを記憶する表示側図的対話画面構成データ記憶手段と、前記電気機器の操作指示信号を受信する操作指示信号受信手段と、前記操作指示信号受信手段が受信した操作指示信号を受けて、前記表示側図的対話画面構成データ記憶手段に記憶されている図的対話画面構成データを読み出して、図的対話画面構成データの指示に基づいて前記図的表示要素記憶手段に記憶されている図的表示要素を組み合わせて図的対話画面を生成し、また、前記操作指示信号受信手段が受信した新たな操作指示信号を受けて図的対話画面を変更生成する図的対話画面生成手段と、図的対話画面生成手段が生成した図的対話画面を表示する表示手段とを備え、図的対話画面の表示を指示する電気機器は、電気機器の動作指示を受け付ける操作手段と、電気機器の動作指示に伴う図的対話画面を表示するのに必要な図的対話画面構成データを予め記憶している指示側図的対話画面構成データ記憶部と、前記操作手段からの動作指示を受けて、電気機器の機能設定動作を制御し、図的対話画面構成データの送信指示を与え、対話画面の生成と変更生成との操作指示信号を発生する制御手段と、前記制御手段からの送信指示を受けて、前記指示側図的対話画面構成データ記憶部に記憶されている図的対話画面構成データを読み出して、図的対話画面表示装置に送信する図的対話画面構成データ送信手段と、前記制御手段が発生した操作指示信号を図的対話画面表示装置に送信する操作指示信号送信手段とを備え、前記図的対話画面構成データ受信手段と前記図的対話画面構成データ送信手段とを接続する第１伝送手段と、前記操作指示信号受信手段と前記操作指示信号送信手段とを接続する第２伝送手段とを備えることを特徴とする図的対話画面指示表示装置としている。
【００１２】
請求項４に係る発明においては、前記制御手段は、前記操作手段からの動作指示に従い操作指示信号を発生する第１信号発生部と、前記電気機器の動作情況に応じて例えば、ＴＶ放送がステレオ放送であればその旨を示す補助データ信号を発生する第２信号発生部とを有することを特徴とする請求項２又３記載の図的対話画面指示表示装置としている。
【００１３】
請求項５に係る発明においては、図的対話画面の表示を指示する電気機器は、更に、遠隔制御操作手段からの操作指示信号を受信する遠隔制御操作指示信号受信手段を含み、前記操作手段に代えて、電気機器本体から分離して設けられた遠隔制御操作手段を備えることを特徴とする請求項２又は３又は４記載の図的対話画面指示表示装置としている。
【００１４】
請求項６に係る発明においては、請求項１記載の図的対話画面指示表示装置の図的対話画面表示装置は、更に、テレビ受像手段と、テレビ操作手段と、テレビ受像機能に関する図的対話画面構成データを予め記憶しているテレビ用図的対話画面構成データ記憶手段とを含み、前記図的対話画面生成手段は、前記テレビ操作手段から操作指示信号を受けたときには、前記テレビ用図的対話画面構成データ記憶手段に記憶されている図的対話画面構成データを読み出して、該データに基づいて前記図的表示要素記憶手段に記憶されている図的表示要素を組み合わせて図的対話画面を生成し、また、新たな操作指示信号を受けたときには図的対話画面を変更生成するテレビ対話画面生成部を備えることを特徴とする図的対話画面指示表示装置としている。
【００１５】
請求項７に係る発明においては、図的対話画面表示装置の遠隔制御操作装置である図的対話画面の表示を指示する電気機器と、電気機器からの指示信号を受けて図的対話画面を表示する図的対話画面表示装置とを有する図的対話画面指示表示装置であって、図的対話画面の表示を指示する電気機器は、電気機器の動作指示を受け付ける操作手段と、電気機器の動作指示に伴う図的対話画面を表示するのに必要な図的対話画面構成データを予め記憶している指示側図的対話画面構成データ記憶手段と、前記操作手段からの動作指示を受けて、電気機器の機能設定動作を制御し、図的対話画面構成データの送信指示を与え、対話画面の生成と変更生成との操作指示信号を発生する制御手段と、前記制御手段からの送信指示を受けて、前記指示側図的対話画面構成データ記憶部に記憶されている図的対話画面構成データを読み出して、図的対話画面表示装置に送信する図的対話画面構成データ送信手段と、前記制御手段が発生した操作指示信号を図的対話画面表示装置に送信する操作指示信号送信手段とを備え、図的対話画面表示装置は、図的対話画面を生成するのに必要な図的表示要素を記憶している図的表示要素記憶手段と、図的対話画面を生成するのに必要な図的対話画面構成データを電気機器から受信する図的対話画面構成データ受信手段と、前記図的対話画面構成データ受信手段が受信した図的対話画面構成データを記憶する表示側図的対話画面構成データ記憶手段と、前記電気機器の操作指示信号を受信する操作指示信号受信手段と、前記操作指示信号受信手段が受信した操作指示信号を受けて、前記表示側図的対話画面構成データ記憶手段に記憶されている図的対話画面構成データを読み出して、その指示に基づいて前記図的表示要素記憶手段に記憶されている図的表示要素を組み合わせて図的対話画面を生成し、また、前記操作指示信号受信手段が受信した新たな操作指示信号を受けて図的対話画面を変更生成する図的対話画面生成手段と、図的対話画面生成手段が生成した図的対話画面を表示する表示手段と、テレビ受像手段と、テレビ操作手段と、前記テレビ受像機能に関する図的対話画面構成データを予め記憶しているテレビ用図的対話画面構成データ記憶手段と、前記テレビ操作手段から操作指示信号を受けたときには、前記テレビ用図的対話画面構成データ記憶手段に記憶されている図的対話画面構成データを読み出して、該データに基づいて前記図的表示要素記憶手段に記憶されている図的表示要素を組み合わせて図的対話画面を生成し、また、新たな操作指示信号を受けたときには図的対話画面を変更生成するテレビ対話画面生成手段とを備えることを特徴とする図的対話画面指示表示装置としている。
【００１６】
請求項８に係る発明においては、図的対話画面表示装置の遠隔制御操作装置である図的対話画面の表示を指示する電気機器と、電気機器からの指示信号を受けて図的対話画面を表示する図的対話画面表示装置とを有する図的対話画面指示表示装置であって、図的対話画面の表示を指示する電気機器は、電気機器の動作指示を受け付ける操作手段と、前記操作手段からの動作指示を受けて、電気機器の機能設定動作を制御し、対話画面の生成と変更生成との操作指示信号を発生する制御手段と、前記制御手段が発生した操作指示信号を図的対話画面表示装置に送信する操作指示信号送信手段とを備え、図的対話画面表示装置は、図的対話画面を生成するのに必要な図的表示要素を記憶している図的表示要素記憶手段と、電気機器の図的対話画面を生成するのに必要な図的対話画面構成データを予め記憶している機器側図的対話画面構成データ記憶手段と、前記電気機器の操作指示信号を受信する操作指示信号受信手段と、前記操作指示信号受信手段が受信した操作指示信号を受けて、前記機器側図的対話画面構成データ記憶手段に記憶されている図的対話画面構成データを読み出して、その指示に基づいて前記図的表示要素記憶手段に記憶されている図的表示要素を組み合わせて図的対話画面を生成し、また、前記操作指示信号受信手段が受信した新たな操作指示信号を受けて図的対話画面を変更生成する図的対話画面生成手段と、図的対話画面生成手段が生成した図的対話画面を表示する表示手段と、テレビ受像手段と、テレビ操作手段と、前記テレビ受像機能に関する図的対話画面構成データを予め記憶しているテレビ用図的対話画面構成データ記憶手段と、前記テレビ操作手段から操作指示信号を受けたときには、前記テレビ用図的対話画面構成データ記憶手段に記憶されている図的対話画面構成データを読み出して、該データに基づいて前記図的表示要素記憶手段に記憶されている図的表示要素を組み合わせて図的対話画面を生成し、また、新たな操作指示信号を受けたときには図的対話画面を変更生成するテレビ対話画面生成手段とを備えることを特徴とする図的対話画面指示表示装置としている。
【００１７】
請求項９に係る発明においては、電気機器の機能設定をするための遠隔制御操作装置と、遠隔制御操作装置からの動作指示の信号を中継する電気機器と、電気機器の中継した信号を受けて図的対話画面を表示する図的対話画面表示装置とを有する図的対話画面指示表示装置であって、図的対話画面の表示を指示する遠隔制御操作装置は、遠隔制御操作装置の動作指示を受け付ける第１操作手段と、遠隔制御操作装置の動作指示に伴う図的対話画面を表示するのに必要な図的対話画面構成データを予め記憶している第１図的対話画面構成データ記憶手段と、前記第１操作手段からの動作指示を受けて、遠隔制御操作装置の機能設定動作を制御し、図的対画面構成データの送信指示を与え、対話画面の生成と変更生成との操作指示信号を発生する第１制御手段と、前記第１制御手段からの送信指示を受けて、前記第１図的対話画面構成データ記憶部に記憶されている図的対話画面構成データを読み出して電気機器に送信する第１図的対話画面構成データ送信手段と、前記第１制御手段が発生した操作指示信号を電気機器に送信する第１操作指示信号送信手段とを備え、図的対話画面の表示を指示する中継機としての電気機器は、電気機器の動作指示を受け付ける第２操作手段と、電気機器の動作指示に伴う図的対話画面を表示するのに必要な図的対話画面構成データを予め記憶している指示側図的対話画面構成データ記憶手段と、前記操作手段からの動作指示を受けて、電気機器の機能設定動作を制御し、図的対話画面構成データの送信指示を与え、対話画面の生成と変更生成との操作指示信号を発生する第２制御手段と、前記第２制御手段からの送信指示を受けて、前記指示側図的対話画面構成データ記憶部に記憶されている図的対話画面構成データを読み出して、図的対話画面表示装置に送信する図的対話画面構成データ送信手段と、前記第２制御手段が発生した操作指示信号を図的対話画面表示装置に送信する第２操作指示信号送信手段と、前記遠隔制御操作手段が送信した図的対話画面構成データを中継して図的対話面表示装置に送信するデータ中継手段と、前記遠隔制御操作手段が送信した操作指示信号を中継して図的対話画面表示装置に送信する信号中継手段とを備え、図的対話画面表示装置は、図的対話画面を生成するのに必要な図的表示要素を記憶している図的表示要素記憶手段と、図的対話画面を生成するのに必要な図的対話画面構成データを電気機器から受信する図的対話画面構成データ受信手段と、前記図的対話画面構成データ受信手段が受信した図的対話画面構成データを記憶する表示側図的対話画面構成データ記憶手段と、前記電気機器の操作指示信号を受信する操作指示信号受信手段と、前記操作指示信号受信手段が受信した受信した操作指示信号を受けて、前記表示側図的対話画面構成データ記憶手段に記憶されている図的対話画面構成データを読み出して、その指示に基づいて前記図的表示要素記憶手段に記憶されている図的表示要素を組み合わせて図的対話画面を生成し、また、前記操作指示信号受信手段が受信した新たな操作指示信号を受けて図的対話画面を変更生成する図的対話画面生成手段と、図的対話画面生成手段が生成した図的対話画面を表示する表示手段とを備えることを特徴とする図的対話画面指示表示装置としている。
請求項１０に係る発明においては、電気機器の機能設定をするための遠隔制御操作装置と、遠隔制御操作装置からの動作指示の信号を中継する電気機器と、電気機器の中継した信号を受けて図的対話画面を表示する図的対話画面表示装置とを有する図的対話画面指示表示装置であって、図的対話画面の表示を指示する遠隔制御操作装置は、遠隔制御操作装置の動作指示を受け付ける第１操作手段と、前記第１操作手段からの動作指示を受けて、遠隔制御操作装置の機能設定動作を制御し、電気機器に図的対画面構成データの送信指示を与え、対話画面の生成と変更生成との操作指示信号を発生する第１制御手段と、前記第１制御手段が発生した操作指示信号を電気機器に送信する第１操作指示信号送信手段とを備え、図的対話画面の表示を指示する中継機としての電気機器は、電気機器の動作指示を受け付ける第２操作手段と、電気機器の動作指示に伴う図的対話画面を表示するのに必要な図的対話画面構成データを予め記憶している指示側図的対話画面構成データ記憶手段と、前記遠隔制御操作装置からの図的対話画面構成データの送信指示に伴う図的対話画面を表示するのに必要な図的対話画面構成データを予め記憶している第１図的対話画面構成データ記憶手段と、前記第２操作手段からの動作指示を受けて、電気機器の機能設定動作を制御し、図的対話画面構成データの送信指示を与え、対話画面の生成と変更生成との操作指示信号を発生する第２制御手段と、前記第２制御手段からの送信指示又は前記遠隔制御操作装置からの送信指示を受けて、前記指示側図的対話画面構成データ記憶部又は第１図的対話画面構成データ記憶手段に記憶されている図的対話画面構成データを読み出して、図的対話画面表示装置に送信する図的対話画面構成データ送信手段と、前記第２制御手段が発生した操作指示信号を図的対話画面表示装置に送信する第２操作指示信号送信手段と、前記遠隔制御操作手段が送信した操作指示信号を中継して図的対話画面表示装置に送信する信号中継手段とを備え、図的対話画面表示装置は、図的対話画面を生成するのに必要な図的表示要素を記憶している図的表示要素記憶手段と、図的対話画面を生成するのに必要な図的対話画面構成データを電気機器から受信する図的対話画面構成データ受信手段と、前記図的対話画面構成データ受信手段が受信した図的対話画面構成データを記憶する表示側図的対話画面構成データ記憶手段と、前記電気機器の操作指示信号を受信する操作指示信号受信手段と、前記操作指示信号受信手段が受信した操作指示信号を受けて、前記表示側図的対話画面構成データ記憶手段に記憶されている図的対話画面構成データを読み出して、その指示に基づいて前記図的表示要素記憶手段に記憶されている図的表示要素を組み合わせて図的対話画面を生成し、また、前記操作指示信号受信手段が受信した新たな操作指示信号を受けて図的対話画面を変更生成する図的対話画面生成手段と、図的対話画面生成手段が生成した図的対話画面を表示する表示手段とを備えることを特徴とする図的対話画面指示表示装置としている。
【００１８】
請求項１１に係る発明においては、前記図的対話画面構成データは、図的対話画面を構成するオブジェクトを定義するオブジェクト情報と、各オブジェクトの形状を定義する形状情報と、オブジェクトの配置を定義する配置情報と、操作指示データに基づいて図的対話画面を変更するオブジェクトの動作を定義する動作情報とを含むことを特徴とする請求項１又は２又は３又は４又は５又は６又は７又は８又は９又は１０記載の図的対話画面指示表示装置としている。
【００１９】
【作用】
上記構成により、請求項１の発明において、図的対話画面指示表示装置の図的対話画面表示装置の図的対話画面構成データ受信手段は、図的対話画面を生成するのに必要な図的対話画面構成データを電気機器から受信し、受信した図的対話画面構成データを表示側図的対話画面構成データ記憶手段に記憶させる。操作指示信号受信手段は、前記電気機器の操作指示信号を受信する。図的対話画面生成手段は、前記操作指示信号受信手段が受信した操作指示信号を受けて、前記表示側図的対話画面構成データ記憶手段に記憶されている図的対話画面構成データを読み出して、その指示に基づいて前記図的表示要素記憶手段に記憶されている図的表示要素を組み合わせて図的対話画面を生成し、また、前記操作指示信号受信手段が受信した新たな操作指示信号を受けて図的対話画面を変更生成する。表示手段は、図的対話画面生成手段が生成した図的対話画面を表示する。
【００２０】
請求項２の発明において、図的対話画面指示表示装置の図的対話画面の表示を指示する電気機器の操作手段は、ユーザから電気機器の動作指示を受け付ける。制御手段は、前記操作手段からの動作指示を受けて、電気機器の機能設定動作を制御し、図的対話画面構成データの送信指示を与え、対話画面の生成と変更生成との操作指示信号を発生する。図的対話画面構成データ送信手段は、前記制御手段からの送信指示を受けて、指示側図的対話画面構成データ記憶部に予め記憶されている電気機器の動作指示に伴う図手対話画面を表示するのに必要な図的対話画面構成データを読み出して、図的対話画面表示装置に送信する。操作指示信号送信手段は、前記制御手段が発生した操作指示信号を図的対話画面表示装置に送信する。
【００２１】
請求項３の発明において、図的対話画面表示装置の図的対話画面構成データ受信手段は、図的対話画面を生成するのに必要な図的対話画面構成データを電気機器から受信し、受信した図的対話画面構成データを表示側図的対話画面構成データ記憶手段に記憶させる。操作指示信号受信手段は、前記電気機器の操作指示信号を受信する。図的対話画面生成手段は、前記操作指示信号受信手段が受信した操作指示信号を受けて、前記表示側図的対話画面構成データ記憶手段に記憶されている図的対話画面構成データを読み出して、図的対話画面構成データの指示に基づいて図的表示要素記憶手段に記憶されている図的表示要素を組み合わせて図的対話画面を生成し、また、前記指示操作信号受信手段が受信した新たな操作指示信号を受けて図的対話画面を変更生成する。表示手段は、図的対話画面生成手段が生成した図的対話画面を表示する。図的対話画面の表示を指示する電気機器の操作手段は、ユーザから電気機器の動作指示を受け付ける。制御手段は、前記操作手段からの動作指示を受けて、電気機器の機能設定動作を制御し、図的対話画面構成データの送信指示を与え、対話画面の生成と変更生成との操作指示信号を発生する。図的対話画面構成データ送信手段は、前記制御手段からの送信指示を受けて、指示側図的対話画面構成データ記憶部に予め記憶されている電気機器の動作指示に伴う図的対話画面を表示するのに必要な図的対話画面構成データを読み出して、図的対話画面表示装置に送信する。操作指示信号送信手段は、前記制御手段が発生した操作指示信号を図的対話画面表示装置に送信する。第１伝送手段は、前記図的対話画面構成データ受信手段と前記図的対話画面構成データ送信手段とを接続する。第２伝送手段は、前記操作指示信号受信手段と前記操作指示信号送信手段とを接続する。
【００２２】
請求項４の発明において、請求項２又は３の作用に加えて、制御手段の第１信号発生部は、前記操作手段からの動作指示に従い操作指示信号を発生する。第２信号発生部は、前記電気機器の動作情況に応じて補助データ信号を発生する。
請求項５の発明において、請求項２又は３又は４の作用に加えて、図的対話画面の表示を指示する電気機器の遠隔制御操作指示信号受信手段は、遠隔制御操作手段からの操作指示信号を受信する。電気機器本体から分離して設けられた遠隔制御操作手段は、前記操作手段の作用をなす。
【００２３】
請求項６の発明において、請求項１の作用に加えて、更に図的対話画面指示表示装置の図的対話画面表示装置は、テレビ受像手段を有する。テレビ操作手段は、ユーザからテレビ受像機の操作を受け付ける。前記図的対話画面生成手段のテレビ対話画面生成部は、前記テレビ操作手段から操作指示信号を受けたときには、テレビ用図的対話画面構成データ記憶手段に予め記憶されているテレビ受像機能に関する図的対話画面構成データを読み出して、該データに基づいて前記図的表示要素記憶手段に記憶されている図的表示要素を組み合わせて図的対話画面を生成し、また、新たな操作指示信号を受けたときには図的対話画面を変更生成する。
【００２４】
請求項７の発明において、図的対話画面表示装置の遠隔制御操作装置である図的対話画面の表示を指示する電気機器の操作手段は、ユーザから電気機器の動作指示を受け付ける。制御手段は、前記操作手段からの動作指示を受けて、電気機器の機能設定動作を制御し、図的対話画面構成データの送信指示を与え、対話画面の生成と変更生成との操作指示信号を発生する。図的対話画面構成データ送信手段は、前記制御手段からの送信指示を受けて、指示側図的対話画面構成データ記憶部に予め記憶されている電気機器の動作指示に伴う図的対話画面を表示するのに必要な図的対話画面構成データを読み出して、図的対話画面表示装置に送信する。操作指示信号送信手段は、前記制御手段が発生した操作指示信号を図的対話画面表示装置に送信する。図的対話画面表示装置の図的対話画面構成データ受信手段は、図的対話画面を生成するのに必要な図的対話画面構成データを電気機器から受信し、受信した図的対話画面構成データを表示側図的対話画面構成データ記憶手段に記憶させる。操作指示信号受信手段は、前記電気機器の操作指示信号を受信する。図的対話画面生成手段は、前記操作指示信号受信手段が受信した操作指示信号を受けて、前記表示側図的対話画面構成データ記憶手段に記憶されている図的対話画面を生成するのに必要な図的対話画面構成データを読み出して、その指示に基づいて図的表示要素記憶手段に記憶されている図的表示要素を組み合わせて図的対話画面を生成し、また、前記操作指示信号受信手段が受信した新たな操作指示信号を受けて図的対話画面を変更生成する。表示手段は、図的対話画面生成手段が生成した図的対話画面を表示する。テレビ受像手段は、テレビ受像機能を有する。テレビ操作手段は、ユーザのテレビ受像機能の設定を受け付ける。テレビ対話画面生成手段は、前記テレビ操作手段から操作指示信号を受けたときには、テレビ用図的対話画面構成データ記憶手段に記憶されているテレビ受像機能に関する図的対話画面構成データを読み出して、該データに基づいて図的表示要素記憶手段に記憶されている図的表示要素を組み合わせて図的対話画面を生成し、また、新たな操作指示信号を受けたときには図的対話画面を変更生成する。
【００２５】
請求項８の発明において、図的対話画面表示装置の遠隔制御装置である図的対話画面の表示を指示する電気機器の操作手段は、電気機器の動作指示を受け付ける。制御手段は前記操作手段からの動作指示を受けて、電気機器の機能設定動作を制御し、対話画面の生成と変更生成との操作指示信号を発生する。操作指示信号送信手段は、前記制御手段が発生した操作指示信号を図的対話画面表示装置に送信する。電気機器からの指示信号を受けて図的対話画面を表示する図的対話画面表示装置の操作指示信号受信手段は、前記電気機器の操作指示信号を受信する。図的対話画面生成手段は、前記操作指示信号受信手段が受信した操作指示信号を受けて、機器側図的対話画面構成データ記憶手段に予め記憶されている電気機器の図的対話画面を生成するのに必要な図的対話画面構成データを読み出して、その指示に基づいて図的表示要素記憶手段に記憶されている図的対話画面を生成するのに必要な図的表示要素を組み合わせて図的対話画面を生成し、また、前記操作指示信号受信手段が受信した新たな操作指示信号を受けて図的対話画面を変更生成する。表示手段は、図的対話画面生成手段が生成した図的対話画面を表示する。テレビ受像手段は、テレビ受像機能を有する。テレビ操作手段は、ユーザのテレビ受像機能の設定を受け付ける。テレビ対話画面生成手段は、前記テレビ操作手段から操作指示信号を受けたときには、テレビ用図的対話画面構成データ記憶手段に予め記憶されているテレビ受像機能に関する図的対話画面構成データを読み出して、該データに基づいて図的表示要素記憶手段に記憶されている図的表示要素を組み合わせて図的対話画面を生成し、また、新たな操作指示信号を受けたときには図的対話画面を変更生成する。
【００２６】
請求項９の発明において、図的対話画面の表示を指示する遠隔制御操作装置の第１操作手段は、ユーザから遠隔制御操作装置の動作指示を受け付ける。第１制御手段は、前記第１操作手段からの動作指示を受けて、遠隔制御操作装置の機能設定動作を制御し、図的対画面構成データの送信指示を与え、対話画面の生成と変更生成との操作指示信号を発生する。第１図的対話画面構成データ送信手段は、前記第１制御手段からの送信指示を受けて、第１図的対話画面構成データ記憶部に予め記憶されている遠隔制御操作装置の動作指示に伴う図的対話画面を表示するのに必要な図的対話画面構成データを読み出して電気機器に送信する。第１操作指示信号送信手段は、前記第１制御手段が発生した操作指示信号を電気機器に送信する。図的対話画面の表示を指示する中継機としての電気機器の第２操作手段は、ユーザから電気機器の動作指示を受け付ける。第２制御手段は、前記操作手段からの動作指示を受けて、電気機器の機能設定動作を制御し、図的対話画面構成データの送信指示を与え、対話画面の生成と変更生成との操作指示信号を発生する。図的対話画面構成データ送信手段は、前記第２制御手段からの送信指示を受けて、指示側図的対話画面構成データ記憶部に予め記憶されている電気機器の動作指示に伴う図的対話画面を表示するのに必要な図的対話画面構成データを読み出して、図的対話画面表示装置に送信する。第２操作指示信号送信手段は、前記第２制御手段が発生した操作指示信号を図的対話画面表示装置に送信する。データ中継手段は、前記遠隔制御操作手段が送信した図的対話画面構成データを中継して図的対話面表示装置に送信する。信号中継手段は、前記遠隔制御操作手段が送信した操作指示信号を中継して図的対話画面表示装置に送信する。図的対話画面表示装置の図的対話画面構成データ受信手段は、図的対話画面を生成するのに必要な図的対話画面構成データを電気機器から受信し、受信した図的対話画面構成データを表示側図的対話画面構成データ記憶手段に記憶させる。操作指示信号受信手段は、前記電気機器の操作指示信号を受信する。図的対話画面生成手段は、前記操作指示信号受信手段が受信した操作指示信号を受けて、前記表示側図的対話画面構成データ記憶手段に記憶されている図的対話画面構成データを読み出して、その指示に基づいて前記図的表示要素記憶手段に記憶されている図的表示要素を組み合わせて図的対話画面を生成し、また、前記操作指示信号受信手段が受信した新たな操作指示信号を受けて図的対話画面を変更生成する。表示手段は、図的対話画面生成手段が生成した図的対話画面を表示する。
【００２７】
請求項１０の発明において、図的対話画面の表示を指示する遠隔制御操作装置の第１操作手段は、遠隔制御操作装置の動作指示を受け付ける。第１制御手段は、前記第１操作手段からの動作指示を受けて、遠隔制御操作装置の機能設定動作を制御し、電気機器に図的対画面構成データの送信指示を与え、対話画面の生成と変更生成との操作指示信号を発生する。第１操作指示信号送信手段は、前記第１制御手段が発生した操作指示信号を電気機器に送信する。図的対話画面の表示を指示する中継機としての電気機器の第２操作手段は、電気機器の動作指示を受け付ける。第２制御手段は、前記第２操作手段からの動作指示を受けて、電気機器の機能設定動作を制御し、図的対話画面構成データの送信指示を与え、対話画面の生成と変更生成との操作指示信号を発生する。図的対話画面構成データ送信手段は、前記第２制御手段からの送信指示又は前記遠隔制御操作装置からの送信指示を受けて、指示側図的対話画面構成データ記憶手段又は第１図的対話画面構成データ記憶手段に記憶されている電気機器の動作指示に伴う図的対話画面を表示するのに必要な又は前記遠隔制御操作装置からの送信指示に伴う図的対話画面を表示するのに必要な図的対話画面構成データを読み出して、図的対話画面表示装置に送信する。第２操作指示信号送信手段は、前記第２制御手段が発生した操作指示信号を図的対話画面表示装置に送信する。信号中継手段は、前記遠隔制御操作手段が送信した操作指示信号を中継して図的対話画面表示装置に送信する。図的対話画面表示装置の図的対話画面構成データ受信手段は、図的対話画面を生成するのに必要な図的対話画面構成データを電気機器から受信し、受信した図的対話画面構成データを表示側図的対話画面構成データ記憶手段に記憶させる。操作指示信号受信手段は、前記電気機器の操作指示信号を受信する。図的対話画面生成手段は、前記操作指示信号受信手段が受信した操作指示信号を受けて、表示側図的対話画面構成データ記憶手段に記憶されている図的対話画面構成データを読み出して、その指示に基づいて図的表示要素記憶手段に記憶されている図的対話画面を生成するのに必要な図的表示要素を組み合わせて図的対話画面を生成し、また、前記操作指示信号受信手段が受信した新たな操作指示信号を受けて図的対話画面を変更生成する。表示手段は、図的対話画面生成手段が生成した図的対話画面を表示する。
【００２８】
請求項１１の発明において、請求項１又は２又は３又は４又は５又は６又は７又は８又は９又は１０の作用に加えて、前記図的対話画面構成データの形状情報は、図的対話画面を構成するオブジェクトを定義するオブジェクト情報と、各オブジェクトの形状を定義する。配置情報は、オブジェクトの配置を定義する。動作情報は、操作指示データに基づいて図的対話画面を変更するオブジェクトの動作を定義する。
【００２９】
【実施例】
以下、本発明に係る図的対話画面表示装置および図的対話画面表示を指示する電気機器を実施例に基づいて説明する。
（第１実施例）
図１は、本発明に係る図的対話画面表示装置および図的対話画面の表示を指示する電器機器の構成図である。
【００３０】
図的対話画面の表示を指示する電器機器としての据置型ビデオ２０は、図的対話画面構成データ送信部２１と、指示側図的対話画面構成データ記憶部２２と、操作指示データ送信部２４と、制御部２５と、操作部２７とを備える。
図的対話画面表示装置１０は、図的対話画面構成データ受信部１１と、表示側図的対話画面構成データ記憶部１２と、図的表示要素記憶部１３と、操作指示データ受信部１４と、図的対話画面生成部１５と、図的表示部１６とを備える。
【００３１】
据置型ビデオ２０の図的対話画面構成データ送信部２１と図的対話画面表示装置１０の図的対話画面構成データ受信部１１とは伝送路２３で結合されている。同様に操作指示データ送信部２４と操作指示データ受信部１４とは伝送路２８で結合されている。伝送路２３、２８は、例えばケーブル、赤外線、コネクタソケット直結などで形成されている。
【００３２】
指示側図的対話画面構成データ記憶部２２は、図３〜図１２にその例を示す据置型ビデオ２０のチューナ設定に関する図的対話画面構成データを予め記憶している。なお、図４〜図７は本来１枚の図であるけれども大きさの都合で分割したものである。この図的対話画面構成指示データは、汎用組版指示言語（ＳＧＭＬ）の文法に従い、オブジェクト指向の考え方に基づいて記述されている。
【００３３】
それぞれの表示要素は、オブジェクトとして記述され、図２に示すような階層関係のいずれかのクラスに属している。上位階層のクラスとして「実体クラス」があり、第１階層として「パネル」、「ボタン」、「ボックス」の各クラスがあり、第２階層として「設定ボックス」クラスがある。
図３は、クラスの定義を示している。「パネル」クラス３１には、親クラス、動作、形状及びフォーカス状態の各属性が定義されている。「親クラス」の属性値は、図２で示したように上位階層に実体クラスがあるので「実体クラス」である。「動作」の属性値は、「パネル動作」である。パネルが処理対象となっている場合に、イベント信号が与えられたときには、パネル動作に示す処理をすることが定義されている。この動作属性については、図４〜図７に定義されている。「形状」の属性値は、「パネル形状」である。この形状属性については、図８に定義されている。「フォーカス状態」の属性値は、「ＯＮ」である。この「フォーカス状態ＯＮ」は、イベント信号が与えられたときに、処理対象となるオブジェクトであることを示している。
【００３４】
「ボタン」クラス３２には、親クラス、動作、形状、文字列、フォーカス状態及び設定ボックスの各属性が定義されている。「文字列」の属性値は、「ボタン」オブジェクト上に表示される文字列を定義し、「ボタン」クラス３２での値は「空」であることを示し、図９に示す「文字列」の属性値でその初期値を個々の「ボタン」に与える。「設定ボックス」の属性値は、その「ボタン」と対を成すボックスを定義し、「ボタン」クラス３２での値は空である。
【００３５】
「ボックス」クラス３３には、親クラス及び形状の各属性が定義されている。「設定ボックス」クラス３４には、親クラス、表示候補、動作及び設定値の各属性が定義されている。「表示候補」の属性値は、「チャンネル候補」である。「チャンネル候補」として設定できる候補値は、図１０に示されている。「設定値」の属性値は、図１１に示されている。
【００３６】
「設定１ボックス」に対しては、「設定値」の値として「１」が定義され、設定２ボックスに対しては、値「２」が定義され、同様に、「設定１５ボックス」に対しては、値「ＢＳ１１」が定義されている。
図１２は、図的対話画面を構成するパネルクラスに属するオブジェクトの定義である。
【００３７】
“＜パネル  動作＝パネル動作  形状＝パネル形状＞チューナ設定パネル”により、パネルクラスに属し、その「動作」の属性値が図４に示したパネル動作であり、「形状」の属性値が図８に示したパネル形状である「チューナ設定パネル」オブジェクトを定義している。なお、図３に示したようにパネルクラスの属性として動作、形状は既に定義しているので“＜パネル＞チューナ設定パネル”としてもよい。ここで、“＜パネル・・・＞”と“＜／パネル＞”との間にパネル内に含まれるオブジェクトを定義している。
【００３８】
また“＜ｖ＞”、“＜／ｖ＞”、“＜ｈ＞”及び“＜／ｈ＞”はオブジェクトの配置方法を定義している。“＜ｖ＞”と“＜／ｖ＞”とは、これらにより挟まれたオブジェクトを縦に配置し、“＜ｈ＞”と“＜／ｈ＞”とは、これらにより挟まれたオブジェクトを横に配置することを示している。即ち、図９に定義を示した「設定１ボタン」と図１１で定義を示した「設定１ボックス」とが対として横並びに配置され、同様に「設定２ボタン」と「設定２ボックス」とが対として、……、「設定１５ボタン」と「設定１５ボックス」とが対としてそれぞれ横並びに配置され、その横並びの対が「設定１ボタン」から「設定１５ボタン」まで縦に配置され、最後に「終了ボタン」が配置されることを表している。
【００３９】
据置型ビデオ２０の操作部２７は、「チューナ設定」ボタン、「↓」ボタン、「→」ボタン及び「決定」ボタン等の押ボタンを備える。
操作部２７は、ユーザが「チューナ設定」ボタンを押下すると、「チューナ設定」信号を制御部２５に送る。「↓」ボタンが押下されると「↓」信号を、「→」ボタンが押下されると「→」信号を、「決定」ボタンが押下されると「決定」信号を制御部２５に送る。
【００４０】
制御部２５は、チューナ設定信号を操作部２７から受け取ると、チューナ設定の動作の制御を開始するとともに、図的対話画面構成データ送信部２１に図的対話画面構成データを図的対話画面表示装置１０に送信するよう送信指示を与え、操作指示データ送信部２４に「チューナ設定イベント」の信号を送る。操作部２７から「↓」信号を受け取ると、「↓」ボタン押下げに伴うチューナ設定の動作（「設定ｎボタン」を「設定（ｎ＋1)ボタン」に変更する。ただしｎ＝１〜１４である。）の制御を開始するとともに、「下イベント」の信号を操作指示データ送信部２４に送る。操作部２７から「→」信号を受け取ると、「→」ボタン押下げに伴うチューナ設定動作（「チャンネルｎ」を「チャンネル（ｎ＋１）」に変更する。ただし、ｎ＝１〜１１、チャンネル１２のときはチャンネルＢＳ５に、ＢＳ５はＢＳ７に、ＢＳ７はＢＳ１１に変更する。）の制御を開始するとともに、「右イベント」の信号を操作指示データ送信部２４に送る。
【００４１】
操作部２７から「決定」信号を受け取ると、チューナ設定の動作の制御を終了するとともに、「決定イベント」の信号を操作指示データ送信部２４に送る。
図的対話画面構成データ送信部２１は、制御部２５から送信指示を受け取ると、指示側図的対話画面構成データ記憶部２２に記憶されている図的対話画面構成データ（図３〜図１２）を読み出し、図的対話画面表示装置１０の図的対話画面構成データ受信部１１に伝送路２３を介して送信する。
【００４２】
操作指示データ送信部２４は、制御部２５から「チューナ設定イベント」の信号を受け取ると、図的対話画面表示装置１０の操作指示データ受信部１４に伝送路２８を介して「チューナ設定イベント」の信号を送信する。制御部２５から「下イベント」の信号を受け取ると、伝送路２８を介して操作指示データ受信部１４に送信する。同様に、制御部２５から「右イベント」の信号を受け取ると「右イベント」の信号を、「決定イベント」の信号を受け取ると「決定イベント」の信号をそれぞれ伝送路２８を介して操作指示データ受信部１４に送信する。
【００４３】
図的対話画面表示装置１０の図的対話画面構成データ受信部１１は、図的対話画面構成データ送信部２１から図的対話画面構成データを受信すると、表示側図的対話画面構成データ記憶部１２に記憶させる。
表示側図的対話画面構成データ記憶部１２は、ＲＡＭなどからなり、図的対話画面構成データ（図３〜図１２）を記憶している。
【００４４】
操作指示データ受信部１４は、操作指示データ送信部２４からの操作指示データである「チューナ設定イベント」、「下イベント」、「右イベント」、「決定イベント」等の信号を受け取ると、図的対話画面生成部１５に各イベントの信号を送る。
図的表示要素記憶部１３は、図１３に示すような図的表示要素（パネル、ボタン、ボックス）の各形状のファイル名とそのビットマップデータとを対にして記憶している。
【００４５】
図的対話画面生成部１５は、バッファを備え、操作指示データ受信部１４から送られてきた各イベント信号を一時記憶させる。バッファから「チューナ設定イベント」の信号を読み出すと、表示側図的対話画面構成データ記憶部１２に記憶されている「フォーカス状態＝ＯＮ」である処理できるオブジェクトを図３に示したクラスの定義から捜す。「パネル」クラスであることを捜し、「パネル」の属性を抽出し、そのパネルの「動作」の属性値の「パネル動作」を図４〜図７の動作の定義から捜し、「チューナ設定」イベントの処理である「コマンド」の「パネル表示」を捜し出す（図４）。この「コマンド」を実行するため、図１２に示す「動作」の属性値が「パネル動作」である「チューナ設定パネル」を読み出す。「チューナ設定パネル」の「形状」の属性値である「パネル形状」を図８に示した「形状」属性の定義から「パネル形状Ａ」を見つける。図的表示要素記憶部１３を検索してファイル名「パネル形状Ａ」に対応するビットマップデータ（図１３の１３１）を抽出する。
【００４６】
次に、パネル内に配置される「設定１ボタン」、「設定１ボックス」、「設定２ボタン」、「設定２ボックス」、…、…、「終了ボタン」のそれぞれのオブジェクトを抽出する。即ち、表示側図的対話画面構成データ記憶部１２に記憶されている図９に示した「設定１ボタン」から「設定１５ボタン」まで及び「終了ボタン」の定義を検索し、また図１１に示した「設定１ボックス」から「設定１５ボックス」までの定義を検索する。この結果、「設定１ボタン」の形状は、「フォーカス状態＝ＯＮ」であるので「ボタン形状Ｂ」であり、「設定２ボタン」から「終了ボタン」までの形状は、フォーカス状態の属性値の定義がなく、デフォルトが「フォーカス状態＝ＯＦＦ」（図３に示した「ボタン」クラスで定義された「フォーカス状態＝ＯＦＦ」が継承される。）であるので「ボタン形状Ａ」である（図８）。また、「設定１ボックス」から「設定１５ボックス」についても同様に形状は「ボックス形状Ａ」である（図８）。
【００４７】
「設定１ボタン」オブジェクトは、図的表示要素記憶部１３に記憶されているファイル名「ボタン形状Ｂ」に対応するビットマップデータ（図１３の１３３）と図９に示された文字列の属性値の設定値「１」とを合成して生成される。「設定１ボックス」オブジェクトは、図的表示要素記憶部１３に記憶されているファイル名「ボックス形状Ａ」に対応するビットマップデータ（図１３の１３４）と図１１に示された文字列の設定値「１」とを合成して完成される。「設定２ボタン」オブジェクトは、「ボタン形状Ａ」に対応するビットマップデータ（図１３の１３２）と設定値「２」とを合成して完成される。以下、「設定２ボックス」から「終了ボタン」までのオブジェクトも合成される。最後に、図１２に定義したように各オブジェクトを配置して図的表示部１６に図１４に示すように表示させる。
【００４８】
図的対話画面生成部１５は、バッファから「下イベント」の信号を読み出すと、表示側図的対話画面構成データ記憶部１２に記憶されている「フォーカス状態＝ＯＮ」である処理できるオブジェクトを捜し出す。今、図的表示部１６に表示されている図的対話画面が図１４に示すものであるときには、「設定１ボタン」が処理できるオブジェクトである（図９）。次に、図４に示した「設定１ボタン動作」の定義より、「下」イベントに対応する「コマンド」は「フォーカスＯＦＦ」、「メッセージ」は「フォーカスＯＮ」、「送信先」は「設定２ボタン」であることを読み出す。これによって、図９に示している「設定１ボタン」の設定値を「フォーカス状態＝ＯＦＦ」に書き替え、「設定２ボタン」に対して「フォーカス状態＝ＯＮ」の内部イベントを発生する。この内部イベントキューを取り出して、図９の「設定２ボタン」の設定値を「フォーカス状態＝ＯＮ」に追加記憶させる。なお、このとき、「設定２ボタン」に定義された動作属性の「フォーカスＯＮ」イベントに対する動作定義がないので、「設定２ボタン」が属する「ボタン」クラスの定義を適用して、「設定２ボタン」を「フォーカス状態＝ＯＮ」にする。これによって、図的表示部１６には、図１５に示す図的対話画面が表示される。
【００４９】
図的対話画面生成部１５は、バッファから「右イベント」の信号を読み出すと、表示側図的対話画面構成データ記憶部に記憶されている「フォーカス状態＝ＯＮ」である処理できるオブジェクトを捜し出す。
図的表示部１６に図１５に示す図的対話画面が表示されているときには、図９に示した「設定２ボタン」が「フォーカス状態＝ＯＮ」であるので「設定２ボタン」オブジェクトが処理対象となる。しかし、「設定２ボタン動作」の定義（図４）には、「右イベント」に対する動作定義がないので、「設定２ボタン」が属する「ボタン」クラスのボタン動作の定義（図４）を適用する。「右」イベントに対応する「メッセージ」は「候補正方向切替」であり、「送信先」は「＄設定ボックス」であることを読み出す。
【００５０】
ここで、送信先の「＄」マークは「＄」以下に記述された「設定ボックス」が属性名であることを示しており、この処理対象がこの属性名で表わされた「設定ボックス」に置き換えられることを示している。図９に示した「設定２ボタン」の定義から「設定ボックス」の属性値は「設定２ボックス」であることを読み出す。従って「設定２ボックス」に対して「メッセージ」で表された「候補正方向切替」の内部イベントが発生する。図１１に示す設定ボックス動作の定義を読み出すと、「候補正方向切替」イベントの「コマンド」は「候補切替」であり、「引数」は「＋」である。このとき、「設定ボックス」クラスの定義（図３の３４）から「表示候補＝チャンネル候補」とあるので、図１０に示す「チャンネル候補」の「候補値」が適用される。引数「＋」で候補切り替えの処理を実行すると、現在の「設定２ボックス」の候補値が「２」であり、「＋」側の次の候補値は「３」であるから、設定２ボックスのチャンネル候補値は「３」に変更される。これによって、表示側図的対話画面記憶部１２に記憶されている「設定２ボックス」の「設定値」（図９）は、「２」から「３」に書き替えられ、図的表示部１６に図１６に示すように図的対話画面が表示される。
【００５１】
図的対話画面生成部１５は、バッファから「決定イベント」の信号を読み出すと、図的表示部１６の図的対話画面が図１７に示すように「終了ボタン」が「フォーカス状態＝ＯＮ」の状態にあるときには、表示側図的対話画面構成データ記憶部１２に記憶されている図７に示す「終了ボタン動作」を読み出す。「決定イベント」に対する「メッセージ」は消去であり、「送信先」は「チューナ設定パネル」であるので、内部イベント「消去」を発生し、図４に示すパネル動作を読み出す。内部イベントキューから「消去イベント」を取り出し、対応する「コマンド」の「パネル消去」を実行する。これによって図的表示部１６の図的対話画面の表示を終了させる。
【００５２】
図的表示部１６は、液晶パネルまたはＣＲＴ等からなり、図的対話画面生成部１５の制御によって図的対話画面を表示する。図１４〜図１７は、対話画面の表示例である。
次に本実施例の動作を図１８、図１９に示すフローチャートを用いて説明する。
【００５３】
図的対話画面生成部１５は、バッファに一時記憶されている操作部２７からのイベントキューを読み出す（Ｓ１８０２）。イベント信号があるときには（Ｓ１８０４）、「フォーカスＯＮ」の状態にあるオブジェクトを表示側図的対話画面構成データ記憶部１２に記憶されている図的対話画面構成データを読み出して捜す（Ｓ１８０６）。「フォーカスＯＮ」のオブジェクトがあるときには（Ｓ１８０８）、そのオブジェクトの動作属性から動作定義を求め（Ｓ１８１０）、ないときには（Ｓ１８０８）、Ｓ１８０２に戻る。その動作定義中の当該イベントに対する処理定義を捜す（Ｓ１８１２）。処理定義があるときには（Ｓ１８１４）、イベント処理を実行して（Ｓ１８１８）、Ｓ１９０２に移る。処理定義がないときには（Ｓ１８１４）、「フォーカスＯＮ」の状態にある次のオブジェクトを捜し（Ｓ１８１６）、Ｓ１８０８に戻る。
【００５４】
Ｓ１９０２では、図的対話画面生成部１５は、内部イベントキューを読み出す。内部イベントがあるときには（Ｓ１９０４）、イベントの送信先オブジェクトを読み出す（Ｓ１９０６）。内部イベントがないときにはＳ１８０２に戻る（Ｓ１９０４）。送信先オブジェクトが指定されているときには（Ｓ１９０８）、そのオブジェクトの動作定義を求める（Ｓ１９１０）。その動作定義中の当該イベントに対する処理定義を捜す（Ｓ１９１２）。処理定義がないときには、直ぐにＳ１９０２に戻り、あるときには、そのイベント処理を実行し（Ｓ１９１６）、Ｓ１９０２に戻る（Ｓ１９１４）。
【００５５】
Ｓ１９０８において、送信先オブジェクトが指定されていないときには、「フォーカスＯＮ」の状態にあるオブジェクトを捜す（Ｓ１９１８）。「フォーカスＯＮ」のオブジェクトがないときには、Ｓ１９０２に戻り（Ｓ１９２０）、あるときには（Ｓ１９２０）、そのオブジェクトの動作属性から動作定義を求める（Ｓ１９２２）。その動作定義中に当該イベントに対する処理定義を捜す（Ｓ１９２４）。処理定義があるときには（Ｓ１９２６）、そのイベント処理を実行して（Ｓ１９３０）、Ｓ１９０２に戻る。処理定義がないときには（Ｓ１９２６）、「フォーカスＯＮ」の次のオブジェクトを捜して（Ｓ１９２８）、Ｓ１９２０に戻る。
【００５６】
なお、本実施例では、操作部２７は据置型ビデオ２０に一体的に組み込まれていたけれども、据置型ビデオ２０に遠隔制御操作受信部を設け、操作部２７をリモートコントローラに代えてもよい。この場合には、リモートコントローラからの送信は、遠隔制御操作受信部が受信する。遠隔制御操作受信部は、その受信信号を制御部２５に送る。
（第２実施例）
図２０は、本発明に係る図的対話画面表示装置および図的対話画面の表示を指示する電気機器の第２実施例の構成図である。前記第１実施例の各部と同一の構成を有する部分には同一の符号を付してその説明を省略する。
【００５７】
本実施例では、据置型ビデオ２００における音声切換、映像メニュー、音声メニューの選択操作を例に説明する。
指示側図的対話画面構成データ記憶部２０１は、第１実施例で図３、図４に示したクラスの定義と形状定義と図２１〜図２４に示すような図的対話画面構成データとを予め記憶している。なお、図２１〜図２４は１枚の図であるけれども、大きさの都合で分割したものである。
【００５８】
図２１は、図的対話画面を構成するパネルクラスに属するオブジェクト「調整パネル」の「動作」の属性値が調整パネル動作（図２３）であることを定義している。この調整パネルの上段には、「音声切換ボタン」と「音声切換ボックス」とが横並びに、次段に「映像メニューボタン」と「映像メニューボックス」とが横並びに、更に次段に「音声メニューボタン」と「音声メニューボックス」とが横並びに、最下段に「終了ボタン」が配置されていることを示している。
【００５９】
図２２は、ボタンクラスとボックスクラスとに属するオブジェクトの定義を示している。
図２３は、調整パネル等の動作定義を示している。
図２４は、「設定ボックス」クラスの「音声切換ボックス」、「映像メニューボックス」、「音声メニューボックス」の「表示候補」属性の候補値の定義を示している。
【００６０】
制御部２０２は、操作部２７から「映像音声選択」信号を受け取ると、映像音声選択の動作の制御を開始するとともに、図的対話画面構成データ送信部２１に図的対話画面構成データを図的対話画面表示装置２０５に送信するよう送信指示を与える。
制御部２０２は、更に現在の機器動作制御の内容を調べ、補助データとして図２５に示すような図的対話画面構成データを「パラメータ調整イベント」の信号と共に操作指示データ送信部２４に通知する。
【００６１】
図２５に示す補助データは、現在受信中の放送が「２か国語放送」であることを示している。従って、補助データは、現在受信中の放送がステレオ放送であるときには「表示候補＝ステレオ放送」になり、モノラル放送であるときには「表示候補＝モノラル放送」になる。
これは、図２２に示した図的表示画面構成データの音声切換ボックスの定義において、「表示候補＝‘’」であり、表示候補の属性値が空であるので、補助データによって表示候補の属性値を指定するためである。
【００６２】
操作指示データ送信部２４は、制御部２０２から「パラメータ調整イベント」の信号と補助データとの通知を受け取ると、伝送路２８を介して図的対話画面表示装置２０３の操作指示データ受信部１４に送信する。
図的対話画面生成部２０４は、「パラメータ調整イベント」の信号と補助データとを操作指示データ受信部１４から受け取ると、バッファに記憶させる。「パラメータ調整イベント」の信号をバッファから読み出すと、表示側図的対話画面構成デーア記憶部１２に記憶されている図的対話画面構成データ（図３、図４、図２１〜図２４）を調べ「フォーカス状態＝ＯＮ」である処理できるオブジェクトをクラス定義（図３）から捜す。図２３に定義されている「パラメータ調整」イベントに対応する「パネル表示」コマンドを実行する。このとき、「音声切換ボックス」に表示される表示候補値としてバッファに記憶している「２か国語放送」を読み出し、図的表示要素記憶部１３に記憶されているボックス形状のビットマップデータとともに音声切換ボックスを合成して生成する。図的表示部１６の対話画面に図２６に示すような調整パネルを表示させる。
【００６３】
本実施例は、前記第１実施例と表示候補の属性値が表示側図的対話画面構成データ記憶部１２に記憶されずに補助データとして送信され、図的対話画面生成部２０４のバッファに記憶されていることのみが異なるので、その動作についての説明は省略する。
（第３実施例）
図２７は、本発明に係る図的対話画面表示装置の第３実施例の構成図である。前記第１実施例の各部と同一の構成を有する部分には同一の符号を付してその説明を省略する。
【００６４】
図的対話画面表示装置２７１は、第１実施例の図的対話画面表示装置１０の構成に加えて、テレビ操作部２７２と、テレビ制御部２７３と、テレビ用図的対話画面構成データを記憶しているテレビ用図的対話画面構成データ記憶手段２７４とを備えて、テレビ受像機能を有する。
テレビ操作部２７２は、ユーザのチャンネル操作等を受け付けて、操作信号をテレビ制御部２７３に送る。
【００６５】
テレビ制御部２７３は、制御部２７３から操作信号を受け取ると、テレビ受像機としての動作を実行するとともに、図的対話画面生成部１５に対話画面生成指示を与える。
テレビ用図的対話画面構成データ記憶部２７４は、テレビ受像機能に関する対話画面構成データを予め記憶している。この対話画面構成データの内容は、第１実施例の図３〜図１２で示したオブジェクト等の内容と大きく異なることがないので、その説明は省略する。
【００６６】
図的対話画面生成部１５は、テレビ制御部１７３からの対話画面生成指示を受け取ると、テレビ用図的対話画面構成データ記憶部２７４に記憶されているデータを読み出してそのデータに基づき図的表示要素記憶部１３に記憶されている図的表示要素を組み合わせて図的対話画面を生成し、図的表示部１６に図的対話画面を表示させる。
【００６７】
また、操作指示データ受信部１４から操作指示を受け取ると、表示側図的対話画面構成データ記憶部１２に記憶される図的対話画面構成データに基づいて、図的表示要素記憶部１３に記憶されている図的表示要素を組み合わせて図的対話画面を生成し、図的表示部１６に図的対話画面を表示させる。
本実施例は、テレビ受像機能に関する図的対話画面の表示が第１実施例に追加されただけであるので、その動作の説明を省略する。
（第４実施例）
図２８は、本発明に係る図的対話画面指示表示装置の第４実施例の構成図である。図的対話画面指示表示装置は、リモートコントロール部２８１と図的対話画面表示装置２７１とからなる。図的対話画面表示装置２７１は、前記第３実施例の図的対話画面表示装置２７１と同一であるのでその説明を省略する。リモートコントロール（以下「リモコン」という）部２８１は、第１実施例における図的対話画面の表示を指示する電気機器に相当する。リモコン部２８１は、指示側図的対話画面構成データ記憶部２８２と、図的対話画面構成データ送信部２８３と操作部２８４と制御部２８５とリモコン送信部（操作指示データ送信部）２８６とを備える。
【００６８】
指示側図的対話画面構成データ記憶部２８２は、操作対象となる据置型ビデオのメーカや機種の設定のための図的対話画面構成データを予め記憶している。図的対話画面構成データの内容は、第１実施例の図３〜図１２で示したそれとは異なるけれども、表示候補属性の候補値等が異なるだけであるので、その説明を省略する。
【００６９】
図的対話画面構成データ送信部２８３は、制御部２８５からの送信指示を受けると、指示側図的対話画面構成データ記憶部２８１から図的対話画面構成データを読み出して、該データを図的対画面構成データ受信部１１に伝送路２３を介して送信する。
操作部２８４は、テレビ受像機制御用のボタンの他に据置型ビデオ制御用のボタンを備えている。ユーザがボタンを押下すると、そのボタンに対応した信号を制御部２８５に送る。
【００７０】
制御部２８５は、例えば、ビデオ制御設定のボタンが押下されると、据置型ビデオのためのリモコン設定制御動作を始動するとともに、図的対話画面構成データ送信部２８３に送信指示を与え、ボタンの押下げに伴うイベント信号を発生し、リモコン送信部２８６にイベント信号の送信指示を与える。
リモコン送信部２８６は、制御部２８５で発生されたイベント信号を伝送路２８を介して操作指示データ受信部（リモコン受信部）１４に送信する。
【００７１】
本実施例の動作も第１実施例の動作と大きく異ならないのでその説明を簡単にする。ユーザがリモコン部２８１の操作部２８４のボタン押下によって、テレビ受信機のリモコン部２８１を据置型ビデオのリモコン部として利用可能にできる。図２９は、図的対話画面表示装置２７１の図的表示部１６に表示された図的対話画面の一例を示している。据置型のビデオメーカが「松下」であり、製造年度が「８９年」である場合には、この表示画面のとおりであるので、ユーザは、操作部２８４の「↓」ボタンを２度押下し、「決定」ボタンを押下することで、据置型ビデオの制御が可能となる。
【００７２】
なお、本実施例ではリモコン部２８１の指示側図的対話画面構成データ記憶部２８２にビデオ制御のための図的対話画面構成データを記憶するようにしたけれども、リモコン部２８１は図的対話画面表示装置２７１であるテレビ受像機と必ず組み合わせて使用されるので、図的対話画面表示装置２７１に新たに図的対話画面構成データ記憶部を設け、ビデオ制御の設定のための図的対話画面構成データを予め記憶させておき、指示側図的対話画面構成データ記憶部２８２と図的対話画面構成データ送信部２８３と図的対話画面構成データ受信部１１と伝送路２３とを省略してもよい。この場合には、図的対話画面生成部１５は、操作指示データ受信部１４がイベント信号を受信したのを受けて、新たに設けた図的対話画面構成データ記憶部に記憶されたビデオ制御のための図的対話画面構成データを読み出す。
（第５実施例）
図３０は、本発明に係る図的対話画面指示表示装置の第５実施例の構成図である。
【００７３】
本実施例の図的対話画面指示表示装置は、図的対話画面表示装置１０と、据置型ビデオ３０１と、据置型ビデオ３０１のリモコン部３０２とを備える。図的対話画面表示装置１０は、第１実施例のそれと同一であるのでその説明は省略する。
据置型ビデオ３０１は、第１実施例の据置型ビデオ２０の構成に加えて、リモコン受信部３０３と、指示側図的対話画面構成データ受信部３０４とを備える。
【００７４】
リモコン部３０２は、据置型ビデオ３０１のリモコンであり、リモコン側図的対話画面構成データ記憶部３０５と、リモコン側図的対話画面構成データ送信部３０６と、操作部３０７と、制御部３０８と、リモコン送信部３０９とを備える。
図的リモコン側図的対話画面構成データ送信部３０６と指示側図的対話画面構成データ受信部３０４とは伝送路３１０で結合され、リモコン送信部３０９とリモコン受信部３０３とは伝送路３１１で結合されている。
【００７５】
リモコン部３０２は、前記第４実施例の構成とほぼ同一である。ただし、このリモコン部３０２は、テレビ受像機の制御機能は有していない。また、据置型ビデオ３０１の専用リモコンであるので、直接図的対話画面表示装置１０に送信することができない。
制御部３０８は、操作部３０７のユーザのボタン押下による信号を受け取ると、リモコン設定制御動作を開始し、リモコン側図的対話画面構成データ記憶部３０５に予め記憶されている対話画面構成データを据置型ビデオ３０１の指示側図的対話画面構成データ受信部３０４に送信するようリモコン側図的対話画面構成データ送信部３０６に送信指示を与え、イベント信号を発生してリモコン送信部３０９に送る。
【００７６】
据置型ビデオ３０１の指示側図的対話画面構成データ受信部３０４は、リモコン側図的対話画面構成データ送信部３０６からリモコン部３０２のリモコン側図的対話画面構成データ記憶部３０５に記憶されている図的対話画面構成データを受信し、図的対話画面構成データ送信部２１を介して図的対話画面表示装置１０に送信する。
【００７７】
リモコン受信部３０３は、リモコン送信部３０９が送信したイベント信号を受信し、操作指示データ送信部２４を介して該イベント信号を図的対話画面表示装置１０に送信する。
本実施例の動作は、リモコン部３０２からの図的画面構成データと操作信号とを据置型ビデオ３０１を介して図的表示画面表示装置に送信する以外は、第１実施例とほとんど異なることがないのでその説明を省略する。
【００７８】
なお、本実施例では、リモコン部３０２のリモコン側図的対話画面構成データ記憶部３０５に図的対話画面構成データを予め記憶するようにしたけれども、据置ビデオ３０１にリモコン側の図的対話画面構成データを予め記憶した図的対話画面構成データ記憶部を新たに設け、リモコン部３０２の制御部３０８は対話画面構成データの送信指示に替えて、据置ビデオ３０１へのリモコン側の図的対話画面構成データの送信指示を与えるようにし、この送信指示を受けると、新たに設けた図的対話画面構成データ記憶部に記憶されているリモコン側の図的対話画面構成データを読み出して図的対話画面表示装置１０に送信するように図的対話画面構成データ送信部２１を構成してもよい。このようにすることにより、リモモン部３０２のリモコン側図的対話画面構成データ記憶部３０５と、リモコン側対話画面構成データ送信部３０６と、据置ビデオ３０１の指示側図的対話画面構成データ受信部３０４と、伝送路３１０とを省略できる。
【００７９】
以上、本発明を実施例に基づいて説明したけれども、本発明は上記実施例に限定されないのは勿論である。即ち、例えば以下のようにしてもよい。
前記各実施例では、図的対話画面の表示を指示する電気機器として据置型ビデオについて述べたけれども、据置型ビデオの他にムービー、エアコンディショナー、オーディオ、ＬＤプレーヤ、ＣＤプレーヤ、カラオケ、電子レンジ、洗濯機、電話機、ファクシミリ装置などに適用することができる。
【００８０】
【発明の効果】
以上説明したように請求項１の発明によれば、図的対話画面指示表示装置に、図的対話画面を構成する表示要素を予め記憶しておき、図的対話画面を指示する電気機器からの図的対話画面構成データと電気機器の操作指示信号とを受けて、図的対話画面を生成する図的対話画面表示装置を設けることにより、共用の図的対話画面表示装置を得ることができる。
【００８１】
請求項２の発明によれば、図的対話画面指示表示装置に、図的対話画面を指示する対話画面構成データと操作指示信号とを図的対話画面表示装置に送信する電気機器を設けることにより、電気機器は電気機器の機能設定のためのユーザインターフェース画面表示パネルを具備することを必要とせず、かつ、画面表示のための電気回路をも必要としないので、安価な電気機器を実現できる。
【００８２】
請求項３の発明によれば、請求項１又は２の効果に加えて、共用の図的対話画面表示装置と、安価な電気機器を実現できる図的対話画面指示表示装置を得ることができる。
請求項４の発明によれば、請求項２又は３の効果に加えて、電気機器の動作状況に応じた補助データ信号が図的対話画面表示装置に送信されるので電気機器の機能設定がより的確にすることができる。
【００８３】
請求項５の発明によれば、請求項２又は３又は４の効果に加えて、操作手段に遠隔制御操作手段を用いることにより、より操作性の向上した図的対話画面指示表示装置の電気機器を得ることができる。
請求項６の発明によれば、請求項１の効果に加えて、図的対話画面表示装置にテレビ受像機能を有したので、図的対話画面表示装置が具備しなければならないＣＲＴや液晶パネルなどのビットマップディスプレイとそれを駆動する電気回路とがテレビ受像機のものを共用できるのでコスト低減となり、かつ、テレビ受像機本体からその機能設定のための制御機能手段を分離することが可能となる。
【００８４】
請求項７の発明によれば、テレビ受像機能を有した共用の図的対話画面表示装置を遠隔制御操作手段で機能設定を可能としたので、操作性が向上する。
請求項８の発明によれば、テレビ受像機能を有した共用の図的対話画面表示装置の操作に遠隔制御型のものを用い、これによって電気機器の機能設定をすることができるので、更に電気機器の操作性が向上する。
【００８５】
請求項９の発明によれば、電気機器本体から分離した遠隔操作制御手段を用いることができるので、操作性が一層向上する。
請求項１０の発明によれば、請求項９の効果に加えて、遠隔操作制御手段は電気機器の専用機であるので、対話画面構成データを電気機器本体に予め記憶させておくことにより、遠隔操作制御手段を安価に提供することが可能となる。
【００８６】
請求項１１の発明によれば、図的対話画面表示装置の表示手段に表示される対話画面に合わせた更に合理的な図的対話画面を表示できる。
【図面の簡単な説明】
【図１】本発明に係る図的対話画面指示表示装置の第１実施例の構成図である。
【図２】本実施例におけるクラスの階層関係図である。
【図３】本実施例におけるクラスの定義である。
【図４】本実施例におけるオブジェクトの動作の定義（その１）である。
【図５】本実施例におけるオブジェクトの動作の定義（その２）である。
【図６】本実施例におけるオブジェクトの動作の定義（その３）である。
【図７】本実施例におけるオブジェクトの動作の定義（その４）である。
【図８】本実施例における形状の定義である。
【図９】本実施例におけるボタンの設定値の定義である。
【図１０】本実施例における設定ボックスの設定値の候補値の定義である。
【図１１】本侍史例における設定ボックスの設定値の定義である。
【図１２】本実施例におけるパネルクラスに属するオブジェクトの定義である。
【図１３】本実施例における図的表示要素記憶手段に記憶されている図的表示要素の構成図である。
【図１４】本実施例における図的表示手段に表示されているチューナ設定パネルの一例を示す図である。
【図１５】本実施例における図的表示手段に表示されているチューナ設定パネルの一例を示す図である。
【図１６】本実施例における図的表示手段に表示されているチューナ設定パネルの一例を示す図である。
【図１７】本実施例における図的表示手段に表示されているチューナ設定パネルの一例を示す図である。
【図１８】本実施例の動作を示すフローチャート（その１）である。
【図１９】本実施例の動作を示すフローチャート（その２）である。
【図２０】本発明に係る図的対話画面指示表示装置の第２実施例の構成図である。
【図２１】本実施例における図的対話画面構成データの定義（その１）である。
【図２２】本実施例における図的対話画面構成データの定義（その２）である。
【図２３】本実施例における図的対話画面構成データの定義（その３）である。
【図２４】本実施例における図的対話画面構成データの定義（その４）である。
【図２５】本実施例における補助データの例である。
【図２６】本実施例における図的表示手段１６に表示されている調整パネルの一例を示す図である。
【図２７】本発明に係る図的対話画面指示表示装置の図的対話画面表示装置の第３実施例の構成図である。
【図２８】本発明に係る図的対話画面指示表示装置の第４実施例の構成図である。
【図２９】本実施例における図的表示手段に表示されているリモコン設定パネルの一例を示す図である。
【図３０】本発明に係る図的対話画面指示表示装置の第５実施例の構成図である。
【符号の説明】
１０      図的対話画面表示装置
１１      図的対話画面構成データ受信部
１２      表示側図的対話画面構成データ記憶部
１３      図的表示要素記憶部
１４      操作指示データ受信部
１５      図的対話画面生成部
１６      図的表示部
２０      据置型ビデオ
２１      図的対話画面構成データ送信部
２２      指示側図的対話画面構成データ記憶部
２３      伝送路
２４      操作指示データ送信部
２５      制御部
２７      操作部
２８      伝送路
２００    据置型ビデオ
２０１    指示側図的対話画面構成データ記憶部
２０２    制御部
２０３    図的対話画面表示装置
２０４    図的対話画面生成部
２７１    図的対話画面表示装置
２７２    テレビ操作部
２７３    テレビ制御部
２７４    テレビ用図的対話画面構成データ記憶部
２８１    リモコン部
２８２    指示側図的対話画面構成データ記憶部
２８３    図的対話画面構成データ送信部
２８４    操作部
２８５    制御部
２８６    操作指示データ送信部
３０１    据置型ビデオ
３０２    リモコン部
３０３    リモコン受信部
３０４    指示側図的対話画面構成データ受信部
３０５    リモコン側図的対話画面構成データ記憶部
３０６    リモコン側図的対話画面構成データ送信部
３０７    操作部
３０８    制御部
３０９    リモコン送信部
３１０    伝送路
３１１    伝送路
【図１】
0003540370.tif 000002
【図２】
0003540370.tif 000003
【図３】
0003540370.tif 000004
【図４】
0003540370.tif 000005
【図５】
0003540370.tif 000006
【図６】
0003540370.tif 000007
【図７】
0003540370.tif 000008
【図８】
0003540370.tif 000009
【図９】
0003540370.tif 000010
【図１０】
0003540370.tif 000011
【図１１】
0003540370.tif 000012
【図１２】
0003540370.tif 000013
【図１３】
0003540370.tif 000014
【図１４】
0003540370.tif 000015
【図１５】
0003540370.tif 000016
【図１６】
0003540370.tif 000017
【図１７】
0003540370.tif 000018
【図１８】
0003540370.tif 000019
【図１９】
0003540370.tif 000020
【図２０】
0003540370.tif 000021
【図２１】
0003540370.tif 000022
【図２２】
0003540370.tif 000023
【図２３】
0003540370.tif 000024
【図２４】
0003540370.tif 000025
【図２５】
0003540370.tif 000026
【図２６】
0003540370.tif 000027
【図２７】
0003540370.tif 000028
【図２８】
0003540370.tif 000029
【図２９】
0003540370.tif 000030
【図３０】
0003540370.tif 000031